(57)【要約】【課題】景品球タンクのパチンコ球を景品球払出装置に導くカーブレール内に設けられた球抜口から球抜通路へ球抜きする場合、球抜通路での球詰りを防止することを目的とする。【解決手段】景品球タンク４の下方にタンクレール５を配設すると共に該タンクレール５の流下端に景品球タンク４のパチンコ球Ｂを景品球払出装置７に導くカーブレール６を設け、該カーブレール６には球圧を弱めるための湾曲部と連なる下流側の底面に球抜口１２を開設し、該球抜口１２に回動してその球抜口１２を開閉する可動板１４を設けたパチンコ機において、前記可動板１４の上面に先端縁からパチンコ球Ｂ１１個分乗る程度の距離を隔てて下流側を低くした所望高さの段部３８を設けた構成よりなる。【選択図】図３
2010022860.tif 000002
【特許請求の範囲】
【請求項１】
景品球タンクの下方にタンクレールを配設すると共に該タンクレールの流下端に景品球タンクのパチンコ球を景品球払出装置に導くカーブレールを設け、該カーブレールには球圧を弱めるための湾曲部の下流側の底面に球抜口を開設し、該球抜口に回動してその球抜口を開閉する可動板を設けたパチンコ機において、
前記可動板の上面に、先端縁からパチンコ球１個分乗る程度の距離を隔てて下流側を低くした段部を設けたことを特徴とするパチンコ機。
【発明の詳細な説明】
【技術分野】
【０００１】
本発明は、景品球タンクのパチンコ球を景品球払出装置に導くカーブレールに設けた球抜口から球抜きする場合、その下方に設けられた球抜通路内で球詰りが起きないようにしたパチンコ機に関するものである。
【背景技術】
【０００２】
従来、パチンコ機の遊技盤裏面にはその全体を覆うように合成樹脂製の機構板が装着されており、該機構板の上部に景品球タンクが固着されている。また、その下方にタンクレールが配設されると共に該タンクレールの流下端に景品球タンクのパチンコ球を景品球払出装置に導くカーブレールが設けられている。該カーブレールには、球圧を弱めるための湾曲部の下流側の底面に球抜口が開設され、該球抜口に回動してその球抜口を開閉する可動板が設けられている。そして、可動板をその上面に乗るパチンコ球の重量により下向きに回動させ球抜通路内へパチンコ球を落下させることにより球抜きするようにしている。
【０００３】
ところで、前記可動板はその上面が全体に平坦面に形成され、その上面にパチンコ球が複数個乗る程度の長さを有している。また、球抜通路は受口は広いものの下流側に向って漸次狭くなり、しかも屈曲部が設けられている。
【発明の概要】
【発明が解決しようとする課題】
【０００４】
そこで、球抜きする場合、可動板の上面が全体に平坦面に形成されていることから、可動板が回動した際、その上面に乗る前記２個のパチンコ球がほぼ同時に落下し、これに後続のパチンコ球が落下することとなる。よって、複数のパチンコ球が一度に団子状になって球抜通路に頽れ込むこととなり、場合によっては、球抜通路の入口部付近で球詰りを起すことが有った。
【０００５】
そこで、本発明は上記課題を解決すべくなされたもので、球抜きする場合の球抜通路での球詰りを完全に防止するようにしたパチンコ機を提供することを目的とするものである。
【課題を解決するための手段】
【０００６】
かかる目的を達成するため、本発明のパチンコ機は景品球タンクの下方にタンクレールを配設すると共に該タンクレールの流下端に景品球タンクのパチンコ球を景品球払出装置に導くカーブレールを設け、該カーブレールには球圧を弱めるための湾曲部の下流側の底面に球抜口を開設し、該球抜口に回動してその球抜口を開閉する可動板を設けたパチンコ機において、前記可動板の上面に、先端縁からパチンコ球１個分乗る程度の距離を隔てて下流側を低くした段部を設けた構成からなる。
【０００７】
前記段部の下流側の可動板上面に乗るパチンコ球がその上流側と下流側に位置する両パチンコ球の上部に接する接線より下側に位置するようになる。これにより、可動板を回動させて球抜きした場合、前記段部の下流側の可動板上面に乗るパチンコ球が前記両パチンコ球に両側から押し出されるようにして先頭となって落下し、続いて後続するパチンコ球がほぼ一列になって球抜通路に落下する。よって、球抜通路、特にその入口部付近での球詰りが防止される。
【発明の効果】
【０００８】
以上述べたように、本発明に係るパチンコ機は球抜きすたるめの可動板の上面に下流側を所望高さ低くした段部を設けたので、球抜きする場合その位置のパチンコ球が最先に落下し、後続のパチンコ球が続いて落下するので、球抜通路にはパチンコ球がほぼ一列となり、団子状に頽れ込むことがない。よって、球抜通路での球詰りが防止される。
更に、可動板に段部を設けたので、従来のカーブレールに大きな設計変更を加えることなく、可動板のみ新しく成形すれば済むので経済的で製作コストも安くできるという効果を有する。
【図面の簡単な説明】
【０００９】
【図１】本発明が適用されるパチンコ機の裏面図。
【図２】カーブレール部部分の斜視図す。
【図３】図２の断面正面図。
【図４】球止装置部分の分解斜視図。
【図５】図３のＸ−Ｘ線断面図である。
【図６】可動板の斜視図。
【発明を実施するための形態】
【００１０】
以下、本発明の実施の形態を図面に基づいて説明する。図１は本発明が適用されるパチンコ機の裏面である。図において、１はパチンコ機の前面枠、２は前面枠１の裏面に着脱自在に取り付けられる遊技盤、３は遊技盤２の裏面に開閉自在に装着される合成樹脂製の機構板である。
【００１１】
前記機構板３の裏面上部には景品球タンク４が固着されている。また景品球タンク４の下方にはタンクレール５が設けられる。タンクレール５の下流端にカーブレール６が設けられ、該カーブレール６の流下端に景品球払出装置７が接続されている。これにより、景品球タンク４の景品球はタンクレール５，カーブレール６により整列されながら景品球払出装置７に導かれる。
【００１２】
前記タンクレール５は図２に示されるように機構板３に当接する後側壁５ａと前側壁５ｂとの間に長手方向に沿って仕切壁５ｃを設けて上面が開口した２条の球通路８ａ，８ｂが形成されている。一方、前記カーブレール６は図３，図５に示されるように外板６ａと裏板６ｂとの間に仕切壁６ｃを設けてタンクレール５の球通路８ａ，８ｂに連通する２条の球通路９ａ，９ｂが形成されている。
【００１３】
各球通路９ａ，９ｂには上部に径の大きい湾曲通路部９１ａ，９１ｂが設けられ、その下部に垂直通路部９２ａ，９２ｂ、更にその下部にくの字形の屈曲通路部９３ａ，９３ｂが形成されており、前記湾曲通路部９１ａ，９１ｂの外周面は弧状の球切れ検知用レバー１０，１０によって囲われている。また、該球切れ検知用レバー１０，１０と対向させてその押圧により作動する光センサースイッチ１１，１１が設けてある。更に、各球切れ検知用レバー１０，１０の下端と前記垂直通路部９２ａ，９２ｂの一側壁９２ｃ上端との間の底面に両球通路９ａ，９ｂに共通した球抜口１２が設けてあり、該球抜口１２の下方に球抜通路１３が設けられている。また、球抜口１２には可動板１４，係合レバー１５及びレバー部材１６からなる球抜装置１７が設けられている。
【００１４】
前記可動板１４はその上面に乗る球重量により図３鎖線のように下向きに回動して球抜口１２を開放すると共に、上面にパチンコ球が乗らない場合には、重錘部１８の作用力で同図実線の球抜口１２を閉じる位置に回動復帰するようになっている。また、係合レバー１５は一端が軸１９により上下方向へ回動自在に枢着されており、上面に形成した係止突部２０を可動板１４の係合片部２１に係合して該可動板１４を球抜口１２を閉じる位置に拘束するようになっている。
【００１５】
前記レバー部材１６は軸２２によって前後方向へ回動可能に枢着されており、これと一体の連係ピン２３を係合レバー１５の長孔２４に臨ませている。そして、弾性片２５により常には図３実線位置に回動付勢されており、前方からの押圧による回動によって、連係ピン２３により係合レバー１５を図３鎖線のように下動して係止突部２０と係合片部２１との係合を外すもので、これによって可動板１４をフリー状態として球抜きすることができるようになっている。２６は球抜装置１７部分をカバーするカバー部材であって、これの内部にはレバー部材１６に当接させて該レバー部材１６のガタつきを抑制するための押圧片２７，２７が一体に設けてある。
【００１６】
前記カーブレール６の上方には球止板２９が設けられると共に、カーブレール６の上面壁６ｄに各球通路９ａ，９ｂに対応する透溝２８，２８が設けられている。なお、透溝２８の側縁部分は後述する球止板２９の係止部が係止する被係止部となる個所である。
【００１７】
前記球止板２９は図４に示されるようにカーブレール６の透溝２８，２８に突入する２本の爪状の球止片３０，３０と摘み片３１とを一体に有し、端部には筒部３２が設けてある。また、球止板２９の一方の球止片３０側縁には前記透溝２８の側縁に係止する係止部としての切欠部３３が設けてある。
【００１８】
一方、カーブレール６の上方には球通路９ａ，９ｂと直交状に支持軸３４が設けてあり、該支持軸３４に球止板２９の筒部３２を挿通して該球止板２９を図３鎖線に示す球止め位置と同図実線に示す球止め解除位置とに回動可能なように軸支している。また、球止板２９は支持軸３４に嵌挿したコイルばね３５によって常に支持軸３４の方向に付勢されるようになっている。
【００１９】
そして、景品球払出装置７へのパチンコ球の供給を阻止する場合には、球止板２９をコイルばね３５の付勢に抗し押圧して軸方向へスライドさせ、球止片３０，３０と透溝２８，２８とを一致させた状態で下方へ回動した後、球止板２９の押圧を解除する。これによって、球止板２９はコイルばね３５の付勢によって移動すると共に、切欠部３３が透溝２８の側縁下面に係合して球止め位置に確実に維されることになる。また、球止めを解除する場合には球止板２９をコイルばね３５の付勢に抗して押圧して軸方向へスライドさせた後、上方へ回動することによって達っせられる。
【００２０】
なお、３６は球止板２９が支持軸３４から外れないようにする座付きねじ、３７は球止板２９が無用に上方へ回動するのを阻止するストッパーである。
【００２１】
しかして、本発明は図６に示されるように可動板１４の上面に球通路９ａ，９ｂの下流側を低くした斜めの段部３８を設けている。該段部３８より下流側の下流板部１４ａはパチンコ球が１個乗る程度の広さに形成されている。また、球通路９ａ，９ｂの上側壁９１ｃに前記段部３８と対向させてほぼ同じ形状の段部３８１が設けられている。
【００２２】
そこで、景品球タンク４から景品球払出装置７にパチンコ球Ｂが導かれ、カーブレール６内に複数のパチンコ球Ｂが連続している状態では、前記可動板１４の下流板部１４ａ上面に丁度パチンコ球Ｂ１が乗るように設定されている。また、前記段部３８はその下流側の下流板部１４ａ上面に乗るパチンコ球Ｂ１がその上流側と下流側に位置する両パチンコ球Ｂ２，Ｂ２の上部に接する接線より下側に位置するように、その高さが選ばれる。これにより、前記下流板部１４ａ上面のパチンコ球Ｂ１は、その両側のパチンコ球Ｂ２，Ｂ２に挟まれ下方へ押し出される力を受けることとなる。
【００２３】
そこで、可動板１４を回動させて球抜きした場合、前記下流板部１４ａ上面に乗るパチンコ球Ｂ１が両パチンコ球Ｂ２，Ｂ２によって両側から挟まれ下方へ押し出され先頭で落下する。更に、後続するパチンコ球Ｂ…がこれに続きほぼ一列になって球抜通路１３に落下する。このように球抜通路１３の入口部付近にパチンコ球が団子状に頽れ込むことがなくなり、これにより球抜通路１３での球詰りが防止される。
【００２４】
また、カーブレール６の両通路９ａ，９ｂを区画する仕切壁６ｃには図３，図５に示されるように可動板１４の下流板部１４ａに対向させて下側縁に切欠凹部３９が設けられる。該切欠凹部３９は、下流板部１４ａからパチンコ球Ｂの半径よりやや低い高さに設定されている。よって、カーブレール６内をパチンコ球Ｂが流下するに支障はない。そこで、球抜きする場合、図５に示されるようにカーブレール６の両球通路９ａ，９ｂ内のパチンコ球Ｂ、すなわち下流板部１４ａ上面のパチンコ球Ｂ１，Ｂ１が可動板１４の下向きの回動動作と共に落下し始めるも、仕切壁６ｃの切欠凹部３９に両方又はいずれか一方のパチンコ球Ｂ１が一部入り、これにより各球通路９ａ，９ｂ内のパチンコ球Ｂ１，Ｂ２の整列状態が崩れ、これらがまとまりなく乱れて球抜通路１３に落下することとなり、２個同時に並んで落下することがなくなる。よって、前記切欠凹部３９を設けることにより球抜通路１３での球詰り防止効果が向上する。
【００２５】
また、前記垂直通路部９２ａ，９２ｂの一側壁９２ｃの上端部には、図３に示されるようにその外側面１９ｄが先端に向って先窄まりとなる傾斜面に形成されている。これにより、可動板１４を回動させて球抜きした場合、下流板部１４ａの上面に乗るパチンコ球Ｂ１がその上流側に連続するパチンコ球の球圧に押されて前記一側壁９２ｃの外側面１９ｄに衝突しても、その傾斜面に沿ってパチンコ球Ｂ１が下方へ滑るので、上流側の球圧に押されてそのまま下方へ落下することとなる。よって、球噛みを起すことなく球抜きが確実に行なえるという効果が有る。
【００２６】
更に、段部３８を設けることにより、前記下流板部１４ａ上面のパチンコ球Ｂ１が上流側のパチンコ球Ｂ２から加わる押圧力の方向と、下流側のパチンコ球Ｂ２に加わる押圧力の方向とがカーブレール６全体のパチンコ球Ｂの流れ方向から外れるのでこの位置で球圧が若干分散され、これによりカーブレール６内の球圧が軽減される。よって、例えばモータで回転するリードスクリュー（図示せず。）でパチンコ球を１個ずつ切って払い出すようにした景品球払出装置にあってはモータに余分な負荷が加わらず、故障が少ないという効果が有る。
【符号の説明】
【００２７】
４                景品球タンク
５                タンクレール
６                カーブレール
７                景品球払出装置
１２              球抜口
１４              可動板
３８              段部
Ｂ，Ｂ１，Ｂ２    パチンコ球
【図１】
2010022860.tif 000003
【図２】
2010022860.tif 000004
【図３】
2010022860.tif 000005
【図４】
2010022860.tif 000006
【図５】
2010022860.tif 000007
【図６】
2010022860.tif 000008